(57)【要約】【課題】枝線の電線を損傷させることなく幹線の電線束にコルゲートチューブを容易に外装できる。【解決手段】ワイヤハーネスの電線束に上方より被せて該電線束を内部に保持する断面半円環状の内側筒部と、内側筒部の前端領域の対向する周壁の下端より左右に延在させた鍔部と、該鍔部の側端より上方に突出させた把持部と、内側筒部の外周側に配置する外側筒部とを備えると共に、内側筒部および外側筒部の下方を軸線方向に開口させて分岐部の枝線を導出可能とし、外側筒部の前端領域は下辺を鍔部と連結している一方、上辺を鍔部の前端に向けて下向き傾斜状に形成し、外方に屈曲形成した上辺のフランジ部にコルゲートチューブのスリットの内周縁を係合させてコルゲートチューブをガイドする。【選択図】図１
2013233031.tif 000002
【特許請求の範囲】
【請求項１】
拡開可能なスリットが軸線方向に形成されたコルゲートチューブをワイヤハーネスの電線束に外装するために用いるコルゲートチューブ外装治具であって、
樹脂成形品からなる前記コルゲートチューブ外装治具は、ワイヤハーネスの電線束に上方より被せて該電線束を内部に保持する断面半円環状の内側筒部と、
前記内側筒部の前端領域の対向する周壁の下端より左右方向に延在させた一対の鍔部と、
該鍔部の側端より上方に突出させた一対の把持部と、
前記内側筒部の外周側に配置する外側筒部と、
を備えると共に、前記内側筒部および前記外側筒部の下方を軸線方向に開口させてワイヤハーネスの分岐部の枝線を導出可能とし、
前記外側筒部の前端領域は下辺を前記鍔部と連結している一方、上辺を前記鍔部の前端に向けて下向き傾斜状に形成し、外方に屈曲形成した前記上辺のフランジ部に前記コルゲートチューブのスリットの内周縁を係合させて、前記内側筒部の前端より露出させているワイヤハーネスの電線束に向けて前記コルゲートチューブをガイドする構成としていることを特徴とするコルゲートチューブ外装治具。
【請求項２】
前記外側筒部は、立設した両側壁を上方で互いに近接させて上面中央位置で接合した形状とし、前記フランジ部を上端側の一対の接合片と該接合片の下端から左右に分岐する一対の分岐片とから形成し、前記接合片に係合させた前記コルゲートチューブのスリットを前記分岐片で拡開させながら前記コルゲートチューブをガイドしている請求項１に記載のコルゲートチューブ外装治具。
【請求項３】
前記内側筒部の半円環状断面の中心角αを１８０°≦α≦２８０°とすると共に、前記外側筒部の前端領域の前記下辺に対する前記上辺の傾斜角θを２０°≦θ≦６５°としている請求項１または請求項２に記載のコルゲートチューブ外装治具。
【請求項４】
前記内側筒部をワイヤハーネスの幹線の電線束に上方より被せると共に、前記幹線から分岐させる枝線を前記内側筒部の下方の開口より導出し、前記外側筒部のフランジ部にコルゲートチューブのスリットの内周縁を係合させながら該コルゲートチューブを下向き傾斜状にスライドさせて前記ワイヤハーネスの幹線の電線束に前記コルゲートチューブを外装することを特徴とする請求項１乃至請求項３のいずれか１項に記載のコルゲートチューブ外装治具を用いたコルゲートチューブの外装方法。
【発明の詳細な説明】
【技術分野】
【０００１】
本発明はコルゲートチューブ外装治具および該コルゲートチューブ外装治具を用いたコルゲートチューブの外装方法に関し、詳しくは、軸線方向にスリットを設けたコルゲートチューブを外装するワイヤハーネスの幹線から枝線を分岐させている場合でも、枝線の電線を損傷させることなく幹線の電線束にコルゲートチューブを外装できるものである。
【背景技術】
【０００２】
自動車に配索するワイヤハーネスの所定領域には、図８に示すように、軸線方向に環状の山部１００ａと谷部１００ｂを交互に連続させた合成樹脂製のコルゲートチューブ１００を外装してワイヤハーネスの電線束Ｗを保護している。コルゲートチューブ１００には拡開可能なスリット１００ｃを軸線方向に設け、該スリット１００ｃを拡開しながら電線束Ｗの外周にコルゲートチューブ１００を側方から外装している。
【０００３】
従来、前記のようなコルゲートチューブ１００をワイヤハーネスの電線束Ｗに外装するために、図９（Ａ）に示すような、合成樹脂板を断面Ｕ字状に湾曲形成してなるコルゲートチューブ外装治具（以下、外装治具という）１１０を用いている。外装治具１１０は、電線束Ｗを下方から受けるＵ字状の底部１１１と、該底部１１１を挟む傾斜状の両側部１１２と、該両側部１１２の上辺を外方に屈曲形成したフランジ部１１３を備えている。［特開平７−２４５８４０号公報（特許文献１）参照］
【０００４】
外装治具１１０を用いてワイヤハーネスの電線束Ｗにコルゲートチューブ１００を外装するには、まず、図９（Ｂ）のように、Ｕ字状の底部１１１を下方から電線束Ｗにあてがうと共に、両フランジ部１１３にコルゲートチューブ１００のスリット１００ｃの内周縁を係合させ、該係合状態のままフランジ部１１３に沿ってコルゲートチューブ１００を下向き傾斜状に送り出すことで、コルゲートチューブ１００はスリット１００ｃを拡開しながらＵ字状の底部１１１に保持された電線束Ｗへとガイドされ、図９（Ｃ）のように、電線束Ｗにコルゲートチューブ１００を順次外装していくことができる。
【０００５】
しかし、図１０のように、コルゲートチューブ１００を外装するワイヤハーネスの幹線Ｗ１から枝線Ｗ２を分岐させている場合、枝線Ｗ２を跨いで幹線Ｗ１にコルゲートチューブ１００を外装する必要があるが、下方から幹線Ｗ１の電線束にあてがうＵ字状の底部１１１と枝線Ｗ２とが接触することから、外装治具１１０を枝線Ｗ２の後方側（手前）位置に配置せざるを得ない。即ち、コルゲートチューブ１００が枝線Ｗ２を乗り越えて幹線Ｗ１に至る際に外装治具１１０を用いることができないため、作業者が手でコルゲートチューブ１００を拡開しながら枝線Ｗ２の電線束を通過させる必要があり、作業性が大幅に低下すると共に枝線通過の際にコルゲートチューブ１００のスリット１００ｃの端縁が枝線Ｗ２の電線に接触して皮膜破損等の電線損傷を発生させるおそれがある。
【０００６】
そこで、本出願人は、特開平１１−１４６５２９号公報（特許文献２）において、図１１のように、Ｕ字状の底部１１１の前端から内方へ向かって、枝線Ｗ２の電線束を導入可能な導入用スリット１１４ａおよび逃し穴１１４ｂからなる切り込み部１１４を設けた外装治具１２０を提案している。
【０００７】
前記構成によれば、図１２（Ａ）のように枝線Ｗ２の分岐位置より後方に配置した外装治具１２０を枝線Ｗ２に向けて前方へ押し出すことで、図１２（Ｂ）のように枝線Ｗ２の電線束を外装治具１２０の導入用スリット１１４ａを通して逃し穴１１４ｂ内に位置させることができる。このように枝線Ｗ２を跨ぐように外装治具１２０を配置することによって、図１２（Ｃ）のようにコルゲートチューブ１００の枝線通過を円滑に行うことができ、枝線Ｗ２の電線を損傷させることなくコルゲートチューブ１００を外装治具１２０より前方側の幹線Ｗ１の電線束に順次外装することができる。また、図１２（Ｄ）のように外装治具１２０を後方に移動させ、逃し穴１１４ｂ内の枝線Ｗ２の電線束を導入用スリット１１４ａを通して外装治具１２０外に導出することにより、枝線Ｗ２の分岐部を含む後方側の幹線Ｗ１の電線束にもコルゲートチューブ１００を順次外装することができる。
【先行技術文献】
【特許文献】
【０００８】
【特許文献１】特開平７−２４５８４０号公報
【特許文献２】特開平１１−１４６５２９号公報
【発明の概要】
【発明が解決しようとする課題】
【０００９】
しかし、前記特許文献２の外装治具１２０を用いた場合、枝線Ｗ２の電線束を導入用スリット１１４ａおよび逃し穴１１４ｂからなる切り込み部１１４に抜き差しする必要があるうえ、切り込み部１１４のエッジ等で枝線Ｗ２の電線を損傷させないように慎重に作業しなければならないため、作業性の点でさらなる改善の余地がある。
【００１０】
本発明は前記問題に鑑みてなされたもので、軸線方向にスリットを設けたコルゲートチューブを、幹線から枝線を分岐させているワイヤハーネスに外装する場合でも、枝線の電線を損傷させることなく幹線の電線束にコルゲートチューブを容易に外装できることを課題としている。
【課題を解決するための手段】
【００１１】
前記課題を解決するため、本発明は、拡開可能なスリットが軸線方向に形成されたコルゲートチューブをワイヤハーネスの電線束に外装するために用いるコルゲートチューブ外装治具であって、
樹脂成形品からなる前記コルゲートチューブ外装治具は、ワイヤハーネスの電線束に上方より被せて該電線束を内部に保持する断面半円環状の内側筒部と、
前記内側筒部の前端領域の対向する周壁の下端より左右方向に延在させた一対の鍔部と、
該鍔部の側端より上方に突出させた一対の把持部と、
前記内側筒部の外周側に配置する外側筒部と、
を備えると共に、前記内側筒部および前記外側筒部の下方を軸線方向に開口させてワイヤハーネスの分岐部の枝線を導出可能とし、
前記外側筒部の前端領域は下辺を前記鍔部と連結している一方、上辺を前記鍔部の前端に向けて下向き傾斜状に形成し、外方に屈曲形成した前記上辺のフランジ部に前記コルゲートチューブのスリットの内周縁を係合させて、前記内側筒部の前端より露出させているワイヤハーネスの電線束に向けて前記コルゲートチューブをガイドする構成としていることを特徴とするコルゲートチューブ外装治具を提供している。
【００１２】
前記のように、本発明のコルゲートチューブ外装治具（以下、外装治具という）には、下方を軸線方向に開口させた断面半円環状の内側筒部を設け、コルゲートチューブを外装するワイヤハーネスの電線束に前記内側筒部を上方より被せて電線束を内部に保持する構造としている。よって、コルゲートチューブを外装するワイヤハーネスの電線束の中間位置に枝線の分岐部が設けられている場合でも、該枝線は外装治具の任意の位置から下方へ導出することが可能となるため、外装治具のセット位置は従来のように制限されることなく自由に設定することができる。また、本発明の外装治具には、上方からの把持も可能な一対の把持部を上方に突出させているため、外装治具を把持する作業者の手などが下方へ導出する枝線に接触して外装作業の妨げになることも防止される。
【００１３】
よって、本発明の外装治具を、例えば、枝線の分岐部を跨ぐように幹線の電線束にセットすることも可能となるため、枝線の電線を損傷させることなくコルゲートチューブの枝線通過を円滑に行って、外装治具より前方側の幹線の電線束にコルゲートチューブを順次外装することができる。また、上方から前記把持部を把持しながら外装治具をスムーズに後方へ移動させることができるため、枝線の分岐部を含む後方側の幹線の電線束にもコルゲートチューブを滑らかに外装することができる。即ち、前記構成によれば、コルゲートチューブを外装するワイヤハーネスの幹線に枝線の分岐部を設けている場合でも、枝線の電線を損傷させることなく良好な作業性で幹線の電線束にコルゲートチューブを外装することが可能となる。
【００１４】
また、前記のように、内側筒部と把持部との間に左右方向に延在する鍔部を介在させ、内側筒部の外周側に配置する外側筒部の前端領域の下辺を前記鍔部と連結させると共に、上辺を前記鍔部の前端に向けて下向き傾斜状に形成している。よって、前記上辺に設けたフランジ部にコルゲートチューブのスリットの内周縁を係合させてスライドさせるだけで、内側筒部の前端より露出させている電線束にコルゲートチューブを確実にガイドすることができる。
【００１５】
特に、前記外側筒部は、立設した両側壁を上方で互いに近接させて上面中央位置で接合した形状とし、前記フランジ部を上端側の一対の接合片と該接合片の下端から左右に分岐する一対の分岐片とから形成し、前記接合片に係合させた前記コルゲートチューブのスリットを前記分岐片で拡開させながら前記コルゲートチューブをガイドしていることが好ましい。
【００１６】
また、前記内側筒部の半円環状断面の中心角αを１８０°≦α≦２８０°とすると共に、前記外側筒部の前端領域の前記下辺に対する前記上辺の傾斜角θを２０°≦θ≦６５°としていることが好ましい。
【００１７】
前記のように、内側筒部の半円環状断面の中心角αを１８０°≦α≦２８０°とすることにより、幹線の電線束を周方向のほぼ全長にわたって内側筒部内に保持しつつ、枝線の導出も容易に行うことができる。
また、前記のように、外側筒部の前端領域の前記下辺に対する前記上辺の傾斜角θを２０°≦θ≦６５°とすることにより、上辺のフランジ部にコルゲートチューブのスリットの内周縁をしっかりと係合させて安定状態でコルゲートチューブをガイドすることができる。
【００１８】
また、本発明は前記外装治具を用いたコルゲートチューブの外装方法も提供している。即ち、前記内側筒部をワイヤハーネスの幹線の電線束に上方より被せると共に、前記幹線から分岐させる枝線を前記内側筒部の下方の開口より導出し、前記外側筒部のフランジ部にコルゲートチューブのスリットの内周縁を係合させながら該コルゲートチューブを下向き傾斜状にスライドさせて前記ワイヤハーネスの幹線の電線束に前記コルゲートチューブを外装するものである。しかし、本発明の外装治具が、分岐部を設けていない電線束の外装にも好適に用いられることは言うまでもない。
【発明の効果】
【００１９】
前述したように、本発明の外装治具には、下方を軸線方向に開口させた断面半円環状の内側筒部を設け、コルゲートチューブを外装するワイヤハーネスの電線束に前記内側筒部を上方より被せて電線束を内部に保持する構造としている。よって、コルゲートチューブを外装するワイヤハーネスの電線束の中間位置に枝線の分岐部が設けられている場合でも、該枝線を外装治具の任意の位置から下方へ導出することができるため、外装治具のセット位置を自由に設定することができる。また、本発明の外装治具には、上方からの把持も可能な一対の把持部を上方に突出させているため、外装治具を把持する作業者の手などが下方へ導出する枝線に接触して外装作業の妨げになることも防止される。
【００２０】
よって、本発明の外装治具を、例えば、枝線の分岐部を跨ぐように幹線の電線束にセットすることも可能となるため、枝線の電線を損傷させることなくコルゲートチューブの枝線通過を円滑に行って、外装治具より前方側の幹線の電線束にコルゲートチューブを順次外装することができる。また、上方から前記把持部を把持しながら外装治具をスムーズに後方へ移動させることができるため、枝線の分岐部を含む後方側の幹線の電線束にもコルゲートチューブを滑らかに外装することができる。即ち、本発明によれば、コルゲートチューブを外装するワイヤハーネスの幹線に枝線の分岐部を設けている場合でも、枝線の電線を損傷させることなく良好な作業性で幹線の電線束にコルゲートチューブを外装することが可能となる。
【図面の簡単な説明】
【００２１】
【図１】本実施形態のコルゲートチューブ外装治具を示す斜視図である。
【図２】（Ａ）は図１のコルゲートチューブ外装治具の正面図、（Ｂ）は平面図、（Ｃ）は側面図である。
【図３】ワイヤハーネスの電線束にコルゲートチューブ外装治具をセットした状態を示す斜視図である。
【図４】コルゲートチューブ外装治具のフランジ部の接合片にコルゲートチューブのスリットの内周縁を係合させた状態の斜視図である。
【図５】コルゲートチューブがフランジ部に沿ってガイドされている状態を示す斜視図である。
【図６】コルゲートチューブがさらに前進しながら幹線の電線束を順次外装していく状態を示す斜視図である。
【図７】コルゲートチューブ外装治具のセット位置を変えた別の例を示す斜視図である。
【図８】従来例を示す図である。
【図９】従来例を示す図であり、（Ａ）はコルゲートチューブ外装治具、（Ｂ）および（Ｃ）はコルゲートチューブ外装治具のフランジ部に係合させたコルゲートチューブの動きを示す斜視図である。
【図１０】従来例を示す図である。
【図１１】従来例を示す図である。
【図１２】従来例を示す図であり、（Ａ）〜（Ｄ）はコルゲートチューブ外装治具および該外装治具のフランジ部に係合させたコルゲートチューブの動きを示す説明図である。
【発明を実施するための形態】
【００２２】
以下、本発明の実施形態を図面を参照して説明する。
図１乃至図６は本発明の実施形態を示す。本実施形態のコルゲートチューブ外装治具１（以下、外装治具１という）は、環状の山部１０ａと谷部１０ｂを軸線方向に交互に設けた樹脂成形品のコルゲートチューブ１０をワイヤハーネスＷ／Ｈの電線束Ｗ１に外装するために用いる治具であり、特に、図３〜図６に示すように、軸線方向の中間位置で枝線Ｗ２の分岐部を設けている幹線の電線束Ｗ１への外装に好適に用いられるものである。コルゲートチューブ１０には、図４に示すように軸線方向にスリット１１を設けている。
【００２３】
樹脂製の板材を立体成形してなる外装治具１には、図１および図２に示すように、幹線の電線束Ｗ１に上方より被せて該電線束Ｗ１を内部に保持する内側筒部２を設けている。内側筒部２は断面半円環状とし、軸線方向に連続する開口３を下方側に設けている。該開口３によって、幹線の電線束Ｗ１から分岐する枝線Ｗ２を下方へ導出できるようにしている。内側筒部２の断面寸法は、内側筒部２の内径を電線束Ｗ１の外径より大とすると共に、半円環状断面の中心角αを１８０°〜２８０°、より好ましくは２５０°〜２７０°として、幹線の電線束Ｗ１が周方向ほぼ全長にわたって内側筒部２内に保持され、かつ枝線Ｗ２を開口３より容易に導出できるようにしている。
【００２４】
内側筒部２の前端領域（本実施形態では電線保持部の前端から全長の３０〜４０％程度の位置までの領域）には、対向する周壁の下端２ａより所定幅を有する一対の鍔部４を左右方向に延在させている。また、鍔部４の側端４ａより所定高さを有する一対の把持部５を上方に突出させている。
【００２５】
さらに外装治具１には、内側筒部２の外周側に配置する外側筒部６を設けている。本実施形態では外側筒部６を、立設した両側壁６ａを上方で互いに近接させて上面中央位置で接合した形状とし、外側筒部６の下方は軸線方向に開口させて、枝線Ｗ２の下方への導出の妨げとならないようにしている。外側筒部６の前端領域（本実施形態では外側筒部６の前端から全長の８０〜９０％程度の位置までの領域）では、下辺６ｂを前記鍔部４と連結している一方、上辺６ｃを鍔部４の前端に向けた下向き傾斜状の端面として内側筒部２の外側筒部６からの露出面積を前端に向けて増大させる構造としている。また、外側筒部６の前端領域の上辺６ｃには外方に屈曲形成したフランジ部７を設け、外装するコルゲートチューブ１０のスリット１１の内周縁１１ａを該フランジ部７に係合させる構成としている。本実施形態のフランジ部７は、上端側の一対の接合片７ａと、該接合片７ａの下端から左右に分岐する一対の分岐片７ｂとからなり、接合片７ａに係合させたコルゲートチューブ１０のスリット１１を分岐片７ｂで拡開させながら、内側筒部２の前端より露出させている電線束Ｗ１に向けてコルゲートチューブ１０をガイドする構成としている。
【００２６】
なお、本実施形態では、外側筒部６の前端領域の下辺６ｂに対する上辺６ｃの傾斜角θを２０°〜６５°、より好ましくは２５°〜３５°としている。また、フランジ部７の分岐片７ｂにスリット１１の内周縁を係合させたコルゲートチューブ１０の外周面が把持部５の内面に接触しないように、分岐片７ｂの側端縁と把持部５の内面との間に所定の隙間ｄ１を設けている。また、外側筒部６と内側筒部２との間にも互いに接触しない程度の隙間を設けている。
【００２７】
以下、前記外装治具１を用いて、軸線方向の中間位置に枝線Ｗ２の分岐部を設けた幹線の電線束Ｗ１にコルゲートチューブ１０を外装する方法について図３〜図６を用いて説明する。
まず、図３に示すように、ワイヤハーネスＷ／Ｈの幹線の電線束Ｗ１に内側筒部２を上方より被せると共に、分岐部の枝線Ｗ２を該内側筒部２の開口３より下方に導出させるように、外装治具１をセットする。
【００２８】
図示していないが、把持部５を一方の手で把持しながら、図４に示すように、外側筒部６に設けたフランジ部７上端側の一対の接合片７ａにコルゲートチューブ１０のスリット１１両側の内周縁１１ａをそれぞれ係合させ、該係合状態を維持したままコルゲートチューブ１０を下向き傾斜状にスライドさせる。この際、外装治具１は一対の接合片７ａの下端から左右に分岐する一対の分岐片７ｂでスリット１１を拡開させながら、コルゲートチューブ１０を内側筒部２の前端より露出させている電線束Ｗ１へとガイドしている（図５）。
【００２９】
前記電線束Ｗ１に到達したコルゲートチューブは、図６に示すように、拡開していたスリット１１を弾性力により閉鎖しながら、外装治具１より前方側の電線束Ｗ１に順次外装される。また、把持部５を上方より保持しながら外装治具１を後方（図６の矢印方向）に移動させていくことで、枝線Ｗ２の分岐部を含む後方側の電線束Ｗ１にもコルゲートチューブ１０がスムーズに外装される。
【００３０】
前記のように、本実施形態の外装治具１には、下方を軸線方向に開口させた断面半円環状の内側筒部２を設け、コルゲートチューブ１０を外装するワイヤハーネスＷ／Ｈの電線束Ｗ１に内側筒部２を上方より被せて電線束Ｗ１を内部に保持する構造としている。よって、本実施形態のように、コルゲートチューブ１０を外装する幹線の電線束Ｗ１の中間位置に枝線Ｗ２の分岐部が設けられている場合でも、枝線Ｗ２を外装治具１の任意の位置から下方へ導出することができるため、外装治具１のセット位置を自由に設定することができる。また、本実施形態の外装治具１には、上方からの把持も可能な一対の把持部５を上方に突出させているため、外装治具１を把持する作業者の手などが下方へ導出する枝線Ｗ２に接触して外装作業の妨げになることも防止される。
【００３１】
よって、本実施形態の外装治具１を、枝線Ｗ２の分岐部を跨ぐように幹線の電線束Ｗ１にセットすることができるため、枝線Ｗ２の電線を損傷させることなくコルゲートチューブ１０の枝線通過を円滑に行って、外装治具１より前方側の幹線の電線束Ｗ１にコルゲートチューブ１０を順次外装することができる。また、上方から把持部５を把持しながら外装治具１をスムーズに後方へ移動させることができるため、枝線Ｗ２の分岐部を含む後方側の幹線の電線束Ｗ１にもコルゲートチューブ１０を滑らかに外装することができる。即ち、本実施形態によれば、コルゲートチューブ１０を外装するワイヤハーネスの幹線Ｗ１に枝線Ｗ２の分岐部を設けている場合でも、枝線Ｗ２の電線を損傷させることなく良好な作業性で幹線の電線束Ｗ１にコルゲートチューブ１０を外装することができる。
【００３２】
なお、本実施形態では、外装治具１を枝線Ｗ２の分岐部を跨ぐように幹線の電線束Ｗ１にセットしているが、図７のように、外装治具１を枝線Ｗ２の分岐部より前方位置にセットしてコルゲートチューブを送り出すと共に、外装治具１を後方に移動させて、分岐部を設けた電線束にコルゲートチューブを外装するようにしてもよい。
【符号の説明】
【００３３】
１  コルゲートチューブ外装治具
２  内側筒部
２ａ  下端
３  開口
４  鍔部
４ａ  側端
５  把持部
６  外側筒部
６ａ  側壁
６ｂ  （前端領域の）下辺
６ｃ  （前端領域の）上辺
７  フランジ部
７ａ  接合片
７ｂ  分岐片
１０  コルゲートチューブ
１１  スリット
Ｗ１  幹線
Ｗ２  枝線
【図１】
2013233031.tif 000003
【図２】
2013233031.tif 000004
【図３】
2013233031.tif 000005
【図４】
2013233031.tif 000006
【図５】
2013233031.tif 000007
【図６】
2013233031.tif 000008
【図７】
2013233031.tif 000009
【図８】
2013233031.tif 000010
【図９】
2013233031.tif 000011
【図１０】
2013233031.tif 000012
【図１１】
2013233031.tif 000013
【図１２】
2013233031.tif 000014